(57)【特許請求の範囲】
【請求項１】
ローカル側で画面表示した画像情報を配信することによって、視聴者が使用する１乃至複数台のリモート会議端末装置に画面表示させる発言者使用のローカル会議端末装置を、
複数の画像情報を画面表示する画面制御手段、
画面制御手段が画面表示している各画像情報に対して、リモート会議端末装置が当該画像情報を画面表示するか否かの判断基準となる優先度を割り当てる優先度割当手段、
画面制御手段が画面表示している画像情報と、優先度割当手段が各画像情報に割り当てた優先度とを各リモート会議端末装置へ送信する情報配信処理手段、
として機能させる表示画像制御プログラム。
【請求項２】
請求項１記載の表示画像制御プログラムにおいて、
ローカル会議端末装置を、発言者の行為を検出する行為検出手段として機能させ、
優先度割当手段は、行為検出手段が検出した行為を解析することによって各画像情報に割り当てる優先度を決定する表示画像制御プログラム。
【請求項３】
請求項２記載の表示画像制御プログラムにおいて、
行為検出手段は、発言者を撮像する撮像手段から送られてくる撮像データを解析することで発言者の行為を検出する表示画像制御プログラム。
【請求項４】
請求項２記載の表示画像制御プログラムにおいて、
ローカル会議端末装置を、行為検出手段が検出した行為を解析することによって発言者が説明に用いている画像情報を特定する画像情報特定手段として機能させ、
情報配信処理手段は、画像情報特定手段が特定した画像情報を識別するためのフォーカス情報を、各リモート会議端末装置へ送信する表示画像制御プログラム。
【請求項５】
請求項４記載の表示画像制御プログラムにおいて、
発言者使用のローカル会議端末装置を、画面制御手段が画面表示している各画像情報に、優先度割当手段によって割り当てられた優先度と、該画像情報が、発言者が説明に用いている画像情報であるか否かを表すフォーカス情報とを割り当て、送信情報を生成する送信情報生成手段として機能させ、
情報配信処理手段は、送信情報生成手段によって生成された送信情報を、各リモート会議端末装置へ送信する表示画像制御プログラム。
【請求項６】
発言者使用のローカル会議端末装置から配信されてくる画像情報を画面表示する視聴者使用のリモート会議端末装置を、
ローカル会議端末装置から配信されてくる複数の画像情報と、各画像情報に対して当該画像情報を画面表示するか否かの判断基準となる優先度情報とを受信する情報受信処理手段、
情報受信処理手段が受信した画像情報の中からリモート会議端末装置が持つ画面数分の画像情報を、優先度情報に基づき抽出して各画面に割り付け、表示する表示処理手段、
として機能させる表示画像制御プログラム。
【請求項７】
請求項６記載の表示画像制御プログラムにおいて、
情報受信処理手段は、各画像情報に対して発言者が説明に用いている画像情報であるか否かを示すフォーカス情報を受信し、
表示処理手段は、情報受信処理手段が受信した情報の中から一つの画像情報を、受信したフォーカス情報に基づき抽出し、他の画面と異なる形態で表示する表示画像制御プログラム。
【請求項８】
複数の画像情報を画面表示する画面制御手段と、画面に表示した画像情報を、画面表示させるために１乃至複数台の表示画像制御装置に配信する情報配信処理手段とを備える画像配信装置において、
画面制御手段が画面表示している各画像情報に対して、表示画像制御装置が当該画像情報を画面表示するか否かの判断基準となる優先度を割り当てる優先度割当手段を備え、
情報配信処理手段は、優先度割当手段が各画像情報に割り当てた優先度を各表示画像制御装置へ送信する、
ことを特徴とする画像配信装置。
【請求項９】
画像配信装置から配信されてくる画像情報を表示するための１乃至複数の画面を有する表示画像制御装置であって、
画像配信装置から配信されてくる複数の画像情報と、各画像情報に対して当該画像情報を画面表示するか否かの判断基準となる優先度情報とを受信する情報受信処理手段と、
情報受信処理手段が受信した画像情報の中から画面数分の画像情報を、優先度情報に基づき抽出して各画面に割り付け、表示する表示処理手段と、
を備えることを特徴とする表示画像制御装置。
【請求項１０】
画面表示した画像情報を配信する画像配信装置と、
配信された画像情報を画面表示する表示画像制御装置と、
を備える画像配信システムにおいて、
画像配信装置は、
複数の画像情報を表示するステップと、
各画像情報に対して、表示画像制御装置が当該画像情報を画面表示するか否かの判断基準となる優先度を割り当てるステップと、
画面表示している画像情報と、各画像情報に割り当てられた優先度とを各表示画像制御装置へ送信するステップと、
を含み、
表示画像制御装置は、
画像配信装置より配信された画像情報と各画像情報に割り当てられた優先度情報とを受信するステップと、
受信した画像情報の中から、表示画像制御装置が持つ画面数分の画像情報を、優先度情報に基づき抽出して各画面に割り付け、表示するステップと、
を含むことを特徴とする表示画像制御方法。
【発明の詳細な説明】
【技術分野】
【０００１】
本発明は、コンピュータが複数の画像情報を受信し、受信した画像情報をコンピュータが持つ表示画面に表示するための表示画像制御に関し、特に、送信される画像情報の数とコンピュータが管理する表示画面の数が異なる場合における表示画像制御に関する。
【背景技術】
【０００２】
一般に、電子会議システムでは、通信回線を介して隔地にある会議室のコンピュータ同士を接続し、各コンピュータ間で画像情報はリアルタイムに送受信されている。そして、受信された画像情報は、各会議室のコンピュータが管理する液晶ディスプレイなどの表示画面に表示される。例えば、ある会議室で発表者がプレゼンテーションを行い、その会議室の表示画面に表示されている画像情報が別の会議室のコンピュータへ送信され、別の会議室の表示画面にも画像情報が表示される。そのため、受信側会議室にいる参加者は、上記のプレゼンテーションの内容を確認することが出来る。
【０００３】
また、発表者が複数の画面を併用してプレゼンテーションを行えば、それぞれの画面に表示された画像情報を、別の会議室にいる参加者も複数の画面を見ながらプレゼンテーションの内容を確認することが出来る。このように複数の画面を利用すると、別の会議室にいる参加者は、一度に多くの情報を確認出来るため、プレゼンテーションの内容を把握し易い。
【０００４】
ところで、送信側の会議室と受信側の会議室とで使用される画面数が同じ、即ち対称な画面数であれば、送信側の会議室から送信された画像情報を、受信側の会議室の画面にそのまま割り振って表示させることが出来るため、問題は発生しない。
【発明の開示】
【発明が解決しようとする課題】
【０００５】
しかし、送信側の会議室と受信側の会議室とで使用される画面数が異なる場合、特に受信側の会議室で使用される画面数が少ない場合、送信側の会議室から送信された画像情報の全てを、受信側の会議室に設けられた表示画面で同時に表示することは出来ない。
【０００６】
そこで、このような不都合を解消する方法として、受信側の会議室の視聴者が、送信された画像情報の中から受信側の会議室の表示画面の数だけ選ぶことが考えられる。しかし、受信側の会議室の視聴者は発表者が選択してほしい画面を選択するための基準が無いため、画像情報を勝手に選択せざるを得ない。このため、受信側の会議室にいる視聴者によって選択された画像情報は、発表者が選択して欲しい画像情報とは限らない。
【０００７】
そこで、プレゼンテーションの進行に応じて、送信側の会議室の発表者が、選択して欲しい画像情報を選択することが考えられる。しかし、発表者はプレゼンテーションしながら画像情報を選択しなければならないため、混乱しやすい。複数の画像情報を選択する必要がある場合は、特に発表者は混乱し易い。また、複数の受信側の会議室がある場合、発表者が全ての会議室に合うように画像情報を選択することは難しい。
【０００８】
本発明は、上記従来技術の問題を鑑み、発表者側の会議室に設けられた画面数と、隔地にある会議室に設けられた画面数が非対称な場合であっても、発表者のプレゼンテーションの内容を理解する上で都合のよい画像情報を、隔地側で表示させる画面制御プログラムを提供する。
【課題を解決するための手段】
【０００９】
本発明の表示画像制御プログラムは、ローカル側で画面表示した画像情報を配信することによって、視聴者が使用する１乃至複数台のリモート会議端末装置に画面表示させる発言者使用のローカル会議端末装置を、複数の画像情報を画面表示する画面制御手段、画面制御手段が画面表示している各画像情報に対して、リモート会議端末装置が当該画像情報を画面表示するか否かの判断基準となる優先度を割り当てる優先度割当手段、画面制御手段が画面表示している画像情報と、優先度割当手段が各画像情報に割り当てた優先度とを各リモート会議端末装置へ送信する情報配信処理手段、として機能させる。
【００１０】
本発明の表示画像制御プログラムは、さらに、ローカル会議端末装置を、発言者の行為を検出する行為検出手段として機能させ、優先度割当手段は、行為検出手段が検出した行為を解析することによって各画像情報に割り当てる優先度を決定する。
【００１１】
本発明の表示画像制御プログラムにおいて、行為検出手段は、発言者を撮像する撮像手段から送られてくる撮像データを解析することで発言者の行為を検出する。
【００１２】
本発明の表示画像制御プログラムは、ローカル会議端末装置を、行為検出手段が検出した行為を解析することによって発言者が説明に用いている画像情報を特定する画像情報特定手段として機能させ、情報配信処理手段は、画像情報特定手段が特定した画像情報を識別するためのフォーカス情報を、各リモート会議端末装置へ送信する。
【００１３】
本発明の表示画像制御プログラムは、発言者使用のローカル会議端末装置を、画面制御手段が画面表示している各画像情報に、優先度割当手段によって割り当てられた優先度と、該画像情報が、発言者が説明に用いている画像情報であるか否かを表すフォーカス情報とを割り当て、送信情報を生成する送信情報生成手段として機能させ、情報配信処理手段は、送信情報生成手段によって生成された送信情報を、各リモート会議端末装置へ送信する。
【００１４】
本発明の表示画像制御プログラムは、さらに、発言者使用のローカル会議端末装置から配信されてくる画像情報を画面表示する視聴者使用のリモート会議端末装置を、ローカル会議端末装置から配信されてくる複数の画像情報と、各画像情報に対して当該画像情報を画面表示するか否かの判断基準となる優先度情報とを受信する情報受信処理手段、情報受信処理手段が受信した画像情報の中からリモート会議端末装置が持つ画面数分の画像情報を、優先度情報に基づき抽出して各画面に割り付け、表示する表示処理手段、として機能させる。
【００１５】
本発明の表示画像制御プログラムにおいて、情報受信処理手段は、各画像情報に対して発言者が説明に用いている画像情報であるか否かを示すフォーカス情報を受信し、表示処理手段は、情報受信処理手段が受信した情報の中から一つの画像情報を、受信したフォーカス情報に基づき抽出し、他の画面と異なる形態で表示する。
【００１６】
本発明の画像配信装置は、複数の画像情報を画面表示する画面制御手段と、画面に表示した画像情報を、画面表示させるために１乃至複数台の表示画像制御装置に配信する情報配信処理手段とを備える画像配信装置において、画面制御手段が画面表示している各画像情報に対して、表示画像制御装置が当該画像情報を画面表示するか否かの判断基準となる優先度を割り当てる優先度割当手段を備え、情報配信処理手段は、優先度割当手段が各画像情報に割り当てた優先度を各表示画像制御装置へ送信する、ことを特徴とする。
【００１７】
本発明の表示画像制御装置は、画像配信装置から配信されてくる画像情報を表示するための１乃至複数の画面を有する表示画像制御装置であって、画像配信装置から配信されてくる複数の画像情報と、各画像情報に対して当該画像情報を画面表示するか否かの判断基準となる優先度情報とを受信する情報受信処理手段と、情報受信処理手段が受信した画像情報の中から画面数分の画像情報を、優先度情報に基づき抽出して各画面に割り付け、表示する表示処理手段と、を備えることを特徴とする。
【００１８】
本発明の表示画像制御方法は、画面表示した画像情報を配信する画像配信装置と、配信された画像情報を画面表示する表示画像制御装置と、を備える画像配信システムにおいて、画像配信装置は、複数の画像情報を表示するステップと、各画像情報に対して、表示画像制御装置が当該画像情報を画面表示するか否かの判断基準となる優先度を割り当てるステップと、画面表示している画像情報と、各画像情報に割り当てられた優先度とを各表示画像制御装置へ送信するステップと、を含み、表示画像制御装置は、画像配信装置より配信された画像情報と各画像情報に割り当てられた優先度情報とを受信するステップと、受信した画像情報の中から、表示画像制御装置が持つ画面数分の画像情報を、優先度情報に基づき抽出して各画面に割り付け、表示するステップと、を含む。
【発明の効果】
【００１９】
以上のように、ローカル会議端末装置はリモート会議端末装置へ、各画像情報に割り当てた優先度情報を送信することによって、リモート会議端末装置に、画面表示するか否かの基準となる優先度情報に基づいて、画像情報を選択させることが出来る。
【発明を実施するための最良の形態】
【００２０】
以下、図面に基づいて本発明の好適な実施の形態について説明する。図１は本実施の形態に係る電子会議システム１０の全体構成を示す図である。同図に示すように電子会議システム１０では、通信回線を介して隔地にある複数の会議室１２ａ〜１２ｆに会議端末１４ａ〜１４ｆが設置され、各会議端末１４ａ〜１４ｆが相互に接続されている。ここで、各会議端末１４ａ〜１４ｆは、電子会議でやり取りされる画像情報や音声情報を管理するためのコンピュータなどの情報処理端末である。尚、音声情報については、本発明の趣旨となる情報ではないため、以後、説明を省略する。
【００２１】
電子会議において、ある会議室１２ａにおいて画面表示された画像情報は、通信回線を介して他の会議室１２ｂ〜１２ｆへ送信される。他の会議室１２ｂ〜１２ｆは画像情報を受信し、画像情報を画面１６ｂ〜１６ｆに表示する。このように、各会議室１２ａ〜１２ｆの画面１６ａ〜１６ｆに共通の画像情報が表示され、各会議室１２ａ〜１２ｆにいる参加者が画像情報を共有することが出来る。
【００２２】
各会議端末１４ａ〜１４ｆは複数の画面を備え、複数の画像情報を同時に表示することが可能である。しかし、全ての会議端末１４ａ〜１４ｆが持つ画面数が同じとは限らない。
【００２３】
送信側の会議端末が送信する画像情報の数より、受信側の会議端末が持つ画面数が多ければ画像情報の全てを同時に表示することが可能だが、送信される画像情報の数が、受信側の会議端末が持つ画面数より多い場合、受信側の会議端末は送信された画像情報の全てを同時に表示することはできない。
【００２４】
そこで本発明では、受信側の会議端末に、送信側の会議端末が送信する画像情報から画面表示する画像情報を選択させるための基準を提供するようにした。
【００２５】
受信側の会議端末に、画面に表示する画像情報を選択させる基準について、図２を用いて説明する。尚、各会議端末１４ａ〜１４ｆは共通の構成であるが、説明の便宜上、画像情報を送信する会議端末をローカル会議端末１４ａとし、他の会議端末１４ｂ〜１４ｆを代表して、画像情報を受信する会議端末をリモート会議端末１４ｂとして説明する。そして、ローカル会議端末１４ａは４つの画面１６ａ（以後、説明の便宜上画面２０として説明する）を備え、リモート会議端末１４ｂは２つの画面１６ｂ（以後、説明の便宜上画面３０として説明する）を備えるものとする。図２はローカル会議端末１４ａのある会議室１２ａで行なわれているプレゼンテーションの流れを示した図である。
【００２６】
会議室１２ａには４つの画面２０ａ〜２０ｄがあり、発表者はこれらの画面を利用して発表を行なう。尚、図に示した左の画面から画面２０ａ、画面２０ｂ、画面２０ｃ、画面２０ｄとする。発表者は、プレゼンテーションを始めてから終えるまでの間に、４つの画面に表示された表示画像を説明に用いる。しかし、発表者は、説明するときに全ての表示画像を同時に用いているわけではない。通常、発表者は、１つの表示画像を用いて説明する。
【００２７】
例えば、プレゼンテーションの開始時に、発表者は、プレゼンテーションの議題について説明するため、議題が表示されている画面２０ａのそばへ移動し、画面２０ａに表示された表示画像を利用しながら議題を説明する（図２の１００）。続いてプレゼンテーションの本題について説明するために、発表者は画面２０ｂの右側へ移動し、画面２０ｂの表示画像を利用しながら説明する。また、指示棒やポインティングデバイスを利用して画面２０ｂの特定箇所を指し示しながら説明することもある（図２の１０１）。発表の途中で、本題の説明を補足するために、発表者は補足内容が表示されている画面２０ｃへ体の向きを変えて、画面２０ｃに表示されている表示画像を利用しながら説明する（図２の１０２）。発表者は、表示画像に書き込みする場合もある（図２の１０３）。
【００２８】
このように、発表者が説明に用いる画面は、プレゼンテーションの進行に従って変化する。発表者が表示画像を用いて説明する場合、発表者は説明に用いている表示画像が表示される画面に対し何らかの行為を及ぼす。一方、発表者は、その他の画面を放置している。
【００２９】
発表者がある画面に対し何もしなくってから経過した時間が長ければ、その画面に表示されている表示画像は、その時説明しようとしている内容に対して関係が薄いといえる。そこで、発表者が画面に対しなにもしなくなってから経過した時間の長さを、リモート会議端末１４ｂの表示画面３０ａ，３０ｂに画像情報を表示させるか否かの判断基準となる優先度を設定するための基準として利用する。
【００３０】
次に、リモート会議端末１４ｂに送信された４つの画像情報から、リモート会議端末１４ｂが２つの表示画面に表示する画像情報、及び他の画像情報と異なる形態で表示する画像情報を選択する方法について図３を用いて説明する。図３は、ローカル会議端末１４ａからリモート会議端末１４ｂへ送信される送信情報１８のデータ構成図の概要である。
【００３１】
送信情報１８は、ローカル会議端末１４ａに表示する画面ごとに存在する。各送信情報１８ａ〜１８ｄは、画面ＩＤ２２、画像情報２４、優先度情報２６、フォーカス情報２８を含む。
【００３２】
画面ＩＤ２２は、ローカル会議端末１４ａで表示される画面２０に対応する識別子であり、各画面２０ａ〜２０ｄに固有の画面ＩＤ２２ａ〜２２ｄが割り振られる。画像情報２４は画面ＩＤ２２で特定される画面２０において表示された画像情報のことである。優先度情報２６は、画像情報２４をリモート会議端末１４ｂにおいて画面表示するか否かの判断基準となる情報のことである。尚、本実施の形態では、優先度情報２６の値が小さいほど、画面ＩＤ２２に対応する画像情報２４はリモート会議端末１４ｂにおいて画面表示される可能性が高いことを表している。フォーカス情報２８は、ローカル会議端末１４ａにおいて、画面２０に表示された画像情報２４が、発表者が説明に用いている画像情報であるか否かを示す、画像使用の有無に関する情報である。フォーカス情報２８が「１」であれば画像情報は説明に用いられていることを表し、「０」であれば画像情報は説明に用いられていないことを表す。
【００３３】
ローカル会議端末１４ａは、各画面ＩＤ２２ａ〜２２ｄに画像情報２４、優先度情報２６およびフォーカス情報２８を対応付けることによって各送信情報１８ａ〜１８ｄを生成し、リモート会議端末１４ｂへ送信する。リモート会議端末１４ｂは、各送信情報１８ａ〜１８ｄを受信し、各画面ＩＤ２２ａ〜２２ｄに対応する各優先度情報２６ａ〜２６ｄに基づいて、リモート会議端末１４ｂの画面３０に表示する画像情報を選択する。また、フォーカス情報２８が「１」である画面ＩＤ２２に対応する送信情報１８の画像情報２４を、他の画像情報２４と異なる形態で画面表示する。例えば、画像情報２４を画面の縁を彩るように一定幅の色の画像と共に画像情報２４を表示する。
【００３４】
１例を挙げてリモート会議端末１４ｂによる画像情報２４の選択方法について説明する。各画面ＩＤ２２ａ〜２２ｄに対応する優先度情報２６ａ〜２６ｄが、「３，１，２，３」であるような送信情報１８を、ローカル会議端末１４ａが生成し、リモート会議端末１４ｂへ送信したとする。リモート会議端末１４ｂは、各送信情報１８ａ〜１８ｄから、優先度情報２６ａ〜２６ｄの値が小さい送信情報１８を、リモート会議端末１４ｂの画面数だけ選択する。上述した送信情報１８を、優先度情報２６の値が小さい（優先度が高い）順に並べると、画面ＩＤ２２は、画面ＩＤ２２ｂ（優先度情報＝１）、画面ＩＤ２２ｃ（優先度情報＝２）、画面ＩＤ２２ａ（優先度情報＝３）、画面ＩＤ２２ｄ（優先度情報＝３）の順に並び替えられる。リモート会議端末１４ｂは、２つの表示画面３０ａ，３０ｂを備えているので、これらの画面に画面ＩＤ２２ｂと画面ＩＤ２２ｃとに対応する画像情報２４を表示する。また、リモート会議端末１４ｂは、画面ＩＤ２２ｂで識別される送信情報１８ｂのフォーカス情報２８が「１」であることを検出し、画像情報２４ｂを他と異なる形態で表示する。
【００３５】
このように、リモート会議端末１４ｂが、画面３０に表示する画像情報２４を選択するためには、ローカル会議端末１４ａが各画像情報２４ａ〜２４ｄに対して、リモート会議端末１４ｂにおいて画像情報２４を画面表示するか否かの判断基準となる優先度情報２６ａ〜２６ｄを割り当て、リモート会議端末１４ｂへ送信する。リモート会議端末１４ｂは、各優先度情報２６ａ〜２６ｄに基づいて、優先度情報２６の値の小さい（優先度が高い）順にリモート会議端末１４ｂの画面数だけ画像情報２４を選択する。以上で、本実施の形態における概要の説明を終了する。
【００３６】
続いて、本実施の形態における、ローカル会議端末１４ａ及びリモート会議端末１４ｂの構成について図４を用いて説明する。図４はローカル会議端末１４ａ及びリモート会議端末１４ｂの構成を示すブロック図である。ローカル会議端末１４ａは、表示制御処理部４０、行為検出部４８、フォーカス決定処理部５２、プライオリティ決定部５４、送信情報生成部５６、通信処理部６０を備える。一方、リモート会議端末１４ｂは通信処理部６１、表示制御処理部６２を備える。そして、表示制御処理部６２は、画面割付処理部６４、フォーカス割付処理部６６、表示状態保持部６８を備える。
【００３７】
尚、本実施の形態において、ローカル会議端末１４ａとリモート会議端末１４ｂは、同様の構成であるため、図４のブロック図において構成を揃えて記載している。そして、情報の流れの違いを矢印の表記によって表している。リモート会議端末１４ｂとローカル会議端末１４ａは、説明の便宜上、送信情報１８の送信側端末と受信側端末に分けたに過ぎず、リモート会議端末１４ｂからローカル会議端末１４ａへ送信情報１８を送信することも可能である。
【００３８】
表示制御処理部４０は、複数の画面２０ａ〜２０ｄを備え画像情報を表示する機能を有する。表示制御処理部４０は外部の記憶部４１と接続され、画面表示する資料データや注釈データ（以後、これらをあわせて資料データとする）を取得する。
【００３９】
各画面２０ａ〜２０ｄは（以後、代表して画面２０ａとする）、表示制御処理部４０から送信される画像情報を表示する機能を備える。また画面２０ａは、ペンデバイス４４のペン先が画面２０ａに接触した場合に、画面２０ａを識別する情報である画面ＩＤ２２と、ペンデバイス４４のペン先が接触した位置を表す座標情報と、使用されたペンデバイス４４の色の種類を表す色識別情報とを表示制御処理部４０へ送信する機能を備える。
【００４０】
表示制御処理部４０は、画面ＩＤ２２、座標情報および色識別情報を受信すると、画面ＩＤ２２によって特定される画面２０ａにおける座標情報によって特定される位置に、色識別情報によって特定される色の画像を表示する。
【００４１】
表示された色の画像は、ペンデバイス４４のペン先が移動した後もそのまま残る。そのため、発表者がペンデバイス４４のペン先を画面に接触させながらペンデバイス４４を移動させた場合、ペン先が移動した軌跡が画面に残る。そのため、発表者は、ペンデバイス４４を用いて画面２０ａに書き込みすることが出来る。
【００４２】
表示制御処理部４０は、資料データと、発表者がペンデバイス４４を用いて書き込みすることによって追加された画像情報（以後、追記画像情報とする）とを併せて各画面２０ａ〜２０ｄに表示する。本実施の形態においてローカル会議端末１４ａがリモート会議端末１４ｂへ送信する画像情報２４は、資料データと追記画像情報とを重ねて表示した情報のことを指す。表示制御処理部４０は、各画面２０ａ〜２０ｄに表示した画像情報２４ａ〜２４ｄを各画面２０ａ〜２０ｄの画面ＩＤ２２に対応させて送信情報生成部５６へ送信する。また、表示制御処理部４０は、各画面２０ａ〜２０ｄに表示した各追記画像情報を各画面２０ａ〜２０ｄの画面ＩＤ２２ａ〜２２ｄに対応させて行為検出部４８へ送信する。
【００４３】
行為検出部４８は、カメラ５０に接続される。カメラ５０は会議室１２ａに設置され、カメラ５０の枠内に全画面２０ａ〜２０ｄ及び発表者を映し撮像データを生成する。行為検出部４８は、カメラ５０から撮像データを受信し、撮像データを画像解析することによって、発表者が行為を及ぼしている行為画面と発表者の行為の種類を表す行為種類を特定する機能を有する。また、行為検出部４８は、表示制御処理部４０から追記画像情報を受信し、追記画像情報を利用して、行為画面と行為種類を特定する機能を有する。行為検出部４８は、内部に記憶部ｍ１（図示せず）を備えており、行為画面の画面ＩＤ２２と行為種類を記憶部ｍ１に保持する。また、行為検出部４８は、行為画面の画面ＩＤ２２と画面ＩＤ２２に対応する行為種類の情報をフォーカス決定処理部５２およびプライオリティ決定部５４へ送信する。
【００４４】
フォーカス決定処理部５２は、発表者が説明に用いている画像情報２４を表示している画面２０を特定するフォーカス情報２８の値を決定する役割を有する。フォーカス決定処理部５２は、行為検出部４８から行為画面の画面ＩＤ２２と行為種類を受信し、これらの情報を基に発表者が説明に用いている画像情報２４を識別するためのフォーカス情報２８を生成する。フォーカス決定処理部５２は、内部に記憶部ｍ２（図示せず）を備えており、各画面ＩＤ２２ａ〜２２ｄと対応するフォーカス情報２８を記憶部ｍ２に保持する。また、フォーカス決定処理部５２は、各画面ＩＤ２２ａ〜２２ｄと各画面ＩＤ２２ａ〜２２ｄに対応するフォーカス情報２８を送信情報生成部５６へ送信する。
【００４５】
プライオリティ決定部５４は、画像情報２４をリモート会議端末１４ｂで画面表示させるか否かを決定する基準となる優先度情報２６の値を決定する役割を有する。プライオリティ決定部５４は、行為検出部４８から行為画面の画面ＩＤ２２と行為種類を受信し、これらの情報から、各画面２０ａ〜２０ｄに表示される各画像情報２４ａ〜２４ｄに対して、リモート会議端末１４ｂが画像情報２４を画面表示するか否かの判断基準となる優先度を表す優先度情報２６を生成する。プライオリティ決定部５４は、画面ＩＤ２２、優先度情報２６、イベント種類２５（詳細は後述する）、イベント受信時刻２７（詳細は後述する）を、プライオリティ決定部５４の内部に設けられた記憶部ｍ３（図示せず）に各画面ＩＤ２２ａ〜２２ｄに対応させて保持すると共に、同様の情報を送信情報生成部５６へ送信する。
【００４６】
送信情報生成部５６は、リモート会議端末１４ｂに送信する送信情報１８を生成する役割を有する。送信情報生成部５６は、フォーカス決定処理部５２からフォーカス情報２８を受信し、プライオリティ決定部５４から優先度情報２６を受信し、表示制御処理部４０から画像情報２４を受信し、受信したこれらの情報に従って送信情報１８を生成し、通信処理部６０へ送信する。送信情報生成部５６は、内部に記憶部ｍ４（図示せず）を備え、記憶部ｍ４に、各画面ＩＤ２２ａ〜２２ｄに対応させて、画面役割２３、優先度情報２６、イベント種類２５、イベント受信時刻２７を保持する。送信情報生成部５６は、記憶部ｍ４に保持された情報と表示制御処理部４０から受信した画像情報２４を基に、送信情報１８を生成する。
【００４７】
通信処理部６０は、送信情報生成部５６から送信情報１８を受信し、リモート会議端末１４ｂへ送信する機能を有する。
【００４８】
尚、ローカル会議端末１４ａにおける各部の機能は、ローカル会議端末１４ａに内蔵されたアプリケーションとハードウェア資源とが協働して動作することによって実現される。
【００４９】
以上でローカル会議端末１４ａの構成についての説明を終了する。続いて、リモート会議端末１４ｂの構成について説明する。
【００５０】
リモート会議端末１４ｂの通信処理部６１は、ローカル会議端末１４ａから送信情報１８を受信し、送信情報１８を表示制御処理部６２へ送信する機能を有する。
【００５１】
表示制御処理部６２は、リモート会議端末１４ｂが持つ画面３０に画像情報２４を表示する機能を有する。表示制御処理部６２は、複数（本実施例では２つとする）の画面３０ａ，３０ｂ、画面割付処理部６４、フォーカス割付処理部６６、表示状態保持部６８を備える。
【００５２】
表示制御処理部６２は、通信処理部６１から送信情報１８を受信し、画面割付処理部６４によって決定された画面割付に従って画像情報２４を表示し、フォーカス割付処理部６６によって決定された画像情報２４を他と異なる形態で表示する機能を有する。
【００５３】
画面割付処理部６４は、リモート会議端末１４ｂの各画面３０ａ，３０ｂに、受信した送信情報１８に含まれる画面ＩＤ２２を割り当てる機能を有する。画面割付処理部６４は、内部に記憶部ｍ５（図示せず）を備え、リモート会議端末１４ｂの各画面３０ａ，３０ｂを特定するための識別子であるリモート画面ＩＤ３２と、リモート会議端末１４ｂの画面３０に表示させる画像情報２４を含む送信情報１８の画面ＩＤ２２を、対応付けて保持する。
【００５４】
フォーカス割付処理部６６は、内部に記憶部ｍ６（図示せず）を設けており、記憶部ｍ６にリモート画面ＩＤ３２と、画像情報２４を他と異なる形態で表示させるか否かを表すフォーカス情報２８とを対応付けて保持する。
【００５５】
表示状態保持部６８は、各リモート画面ＩＤ３２ａ，３２ｂに対応する送信情報１８に含まれる画面ＩＤ２２、送信情報１８に含まれるフォーカス情報２８を保持する記憶部である。
【００５６】
表示制御処理部６２は、リモート会議端末１４ｂの各画面３０ａ，３０ｂに、ローカル会議端末１４ａから送信された画像情報２４を表示する機能を有する。その際、表示状態保持部６８の情報を基に画像情報２４を選択し、画面３０に表示する。
【００５７】
尚、リモート会議端末１４ｂにおける各部の機能は、リモート会議端末１４ｂに内蔵されたアプリケーションとハードウェア資源とが協働して動作することによって実現される。
【００５８】
以上でリモート会議端末１４ｂの構成についての説明を終了する。
【００５９】
ここで、ローカル会議端末１４ａからリモート会議端末１４ｂへ送信される送信情報１８のデータ構成について図１０を用いて説明する。図１０に示す送信情報１８は、図３に示す送信情報１８を詳細にした情報である。そのため、同じ役割を有する情報に関しては、同一の符号で記載している。送信情報１８は、画面ＩＤ２２、画像情報２４、優先度情報２６、フォーカス情報２８、画面役割２３、イベント種類（「行為種類」ともいう）２５、イベント受信時刻２７、から構成される。
【００６０】
画面ＩＤ２２は、ローカル会議端末１４ａで表示される各画面２０ａ〜２０ｄに対応する識別子である。本実施の形態では、ローカル会議端末１４ａの画面数が４つあり、各画面２０ａ〜２０ｄに対応する固有の画面ＩＤ２２ａ〜２２ｄが割り振られる。
【００６１】
画面役割２３は、画面ＩＤ２２によって特定される画面が、プレゼンテーションの際に、中心的に用いられる画面か否かを表す情報である。その画面が、プレゼンテーションの際に中心的に利用される画面（以後メイン画面とする）であれば「１」、それ以外の画面（以後サブ画面とする）であれば「０」である。各画面ＩＤ２２ａ〜２２ｄに対応する画面役割２３の値は、予め設定された値に固定される。
【００６２】
優先度情報２６は、画面ＩＤ２２に対応する画像情報２４をリモート会議端末１４ｂにおいて画面表示するか否かの判断基準となる情報である。優先度情報２６は優先度の高い順から「１，２，３，ｎｉｌ」の値をとりうる。本実施の形態において優先度情報２６の値が小さい送信情報１８の画像情報２４ほど、リモート会議端末１４ｂにおいて優先的に画面表示される、即ちその画像情報２４の優先度が高いことを示している。優先度情報２６において「ｎｉｌ」は値が確定していない状態を表している。
【００６３】
フォーカス情報２８は、ローカル会議端末１４ａにおいて、画面ＩＤ２２によって特定される画面２０の画像情報２４が、発表者が用いている画像情報２４か否かを表す情報である。フォーカス情報２８の値が「０」の場合、発表者がその画像情報２４を用いていないことを表し、「１」の場合、発表者がその画像情報２４を用いていることを表す。
【００６４】
イベント種類２５は、画面２０に対する発表者の行為の種類を表す情報である。この情報は、発表者が画面２０に対して体を向けたことを表す「体の向き」、発表者が画面２０に対して書き込みを行ったことを表す「書き込み」、発表者が画面２０の一部を指し示したことを表す「指示」などの発表者の行為種類のほかに、画面２０の表示内容が変更された、すなわちページが切り替えられたことを表す「画面表示」、優先度が「１」になってから発表者が画面２０に対して何もしないまま時間Δｔ１が経過したことを示す「Δｔ１経過」、優先度が「２」になってから発表者が画面２０に対して何もしないまま時間Δｔ２が経過したことを示す「Δｔ２経過」の情報をとり得る。
【００６５】
イベント受信時刻２７は、上記に示したイベント種類２５をプライオリティ決定部９２が受信した時刻を示す。この数値が大きいほど、プライオリティ決定部９２がイベント種類２５を受信した時刻が遅いことを表す。
【００６６】
画像情報２４は画面ＩＤ２２によって特定される画面２０に表示された画像の情報である。以上で送信情報１８のデータ構成について説明を終了する。
【００６７】
続いて、ローカル会議端末１４ａおよびリモート会議端末１４ｂにおける処理の詳細、および処理の流れについて説明する。
【００６８】
表示制御処理部４０は、各画面２０ａ〜２０ｄに画像情報を表示する。表示制御処理部４０は、送信情報生成部５６へ各画面２０ａ〜２０ｄの画面ＩＤ２２と、各画面２０ａ〜２０ｄに表示した画像情報２４とを対応させて送信情報生成部５６へ送信する。また、表示制御処理部４０は、各画面２０ａ〜２０ｄに対応する画面ＩＤ２２と、各画面２０ａ〜２０ｄに表示した追記画像情報とを対応させて、行為検出部４８へ送信する。
【００６９】
行為検出部４８が発表者の行為を検出する方法は２つあり、それぞれの方法について説明する。
【００７０】
第一の方法は、ローカル会議端末１４ａに接続されたカメラ５０から送信される撮像データを解析することによって、発表者の行為を検出する方法である。この方法について図５のフローチャートを用いて説明する。
【００７１】
行為検出部４８はカメラ５０から撮像データを取得し（Ｓ１）、撮像データを画像解析し、発表者の行為種類および行為画面を特定する（Ｓ２）。
【００７２】
行為検出部４８が行為種類と行為画面を特定する方法は以下のとおりである。行為検出部４８は受信した撮像データを基に画像解析を行なうことによって、各画面２０ａ〜２０ｄの位置及び形状、発表者の位置及び形状、および各画面２０ａ〜２０ｄと発表者以外である背景を識別し、位置情報および画像情報として保持する（Ｓ３）。行為検出部４８は、画面２０および発表者の位置情報から、各画面２０ａ〜２０ｄに対する発表者の相対的な位置を検出する（Ｓ４）。
【００７３】
続いて、行為検出部４８は、発表者の形状の情報を基に、発表者の体の向きを検出する。例えば、発表者の形状の画像情報から発表者の鼻の位置と、体の左右の両端部の位置とを検出し、両端部に対する鼻の相対的な位置から体の向きを検出する（Ｓ５）。
【００７４】
行為検出部４８は、発表者の形状の画像情報を基に、発表者の行為種類を検出する（Ｓ６）。そして、行為検出部４８は、各画面に対する発表者の相対的な位置と、発表者の体の向きとから、行為画面を特定する（Ｓ７）。例えば、図２の１０２に示す撮像データが取得された場合、行為検出部４８は、画像解析により、発表者が画面２０ｂ及び画面２０ｃの間にいること、および発表者はカメラ５０から見て右側へ体を向けていることを検出し、検出した情報から、行為画面が「画面２０ｃ」であり、行為種類が「体の向き」であることを検出する。
【００７５】
行為検出部４８は、記憶部ｍ１から、検出した行為画面の画面ＩＤ２２に対応する行為種類を取得する（Ｓ８）。
【００７６】
そして、画像解析によって得られた行為種類と、記憶部ｍ１から取得した行為種類が一致するか否か判断する。すなわち、Ｓ２の処理によって、即ち撮像データの画像処理によって得られた行為種類と、Ｓ８の処理によって、即ち既に記憶されている直前の行為種類が一致するか否か判断する（Ｓ９）。
【００７７】
互いの行為種類が異なる場合（Ｓ９／ＮＯ）、行為検出部４８は、記憶部ｍ１に対し、行為画面に対応する行為種類の情報を、画像解析の結果得られた行為種類に更新する（Ｓ１０）。そして、行為画面の画面ＩＤ２２と行為画面に対応する行為種類の情報を、フォーカス決定処理部５２とプライオリティ決定部５４へ送信する（Ｓ１１）。一方、互いの行為種類が一致する場合（Ｓ９／ＹＥＳ）、行為検出部４８は、Ｓ１０の処理を実行せずに、即ち記憶部ｍ１の情報を更新せずに、Ｓ１１の処理を実行する。
【００７８】
続いて、第二の方法について、図６のフローチャートを用いて説明する。図６のフローチャートは、表示制御処理部４０から行為検出部４８へ送信された追記画像情報を解析することによって、発表者の行為を検出する処理の流れを示す図である。
【００７９】
行為検出部４８は、表示制御処理部４０から画面ＩＤ２２と画面ＩＤ２２に対応した追記画像情報を定期的に受信する。また、行為検出部４８は、行為検出部４８の内部の記憶部ｍ１から、画面ＩＤ２２に対応する追記画像情報、即ち直前に受信していた追記画像情報を取得する（Ｓ２０）。
【００８０】
そして、記憶部ｍ１から取得した追記画像情報と、表示制御処理部４０から受信した追記画像情報が一致するか否か判断する（Ｓ２１）。
【００８１】
両方の追記画像情報が異なる場合（Ｓ２１／ＮＯ）、記憶部ｍ１に対し、画面ＩＤ２２に対応する行為種類を「書き込み」に更新する（Ｓ２２）。そして、記憶部ｍ１に対し、画面ＩＤ２２に対応する追記画像情を、表示制御処理部４０から受信した追記画像情報に更新する（Ｓ２３）。そして、記憶部ｍ１から「書き込み」行為のあった画面２０の画面ＩＤ２２と、その画面ＩＤ２２に対応する行為種類とを取得し、フォーカス決定処理部５２とプライオリティ決定部５４へ送信する。即ち、画面ＩＤ２２によって特定される画面２０に対して書き込みがされたと判断し、記憶部ｍ１に保持されている情報を書き換えた後で、行為画面の画面ＩＤ２２および行為種類を送信する（Ｓ２４）。一方、両方の追記画像情報が一致する場合（Ｓ２１／ＹＥＳ）、行為画面の画面ＩＤ２２および行為種類の情報を送信せずに処理を終了する。
【００８２】
以上のように、行為検出部４８は、カメラ５０より送信される、画面および発表者を映した撮像データ、および表示制御処理部４０より送信される追記画像情報から、発表者の行為を検出する。
【００８３】
フォーカス決定処理部５２の処理の流れについて、図７を用いて説明する。図７は、フォーカス決定処理部５２における処理の流れを示すフローチャートである。フォーカス決定処理部５２は、行為検出部４８から行為画面の画面ＩＤ２２と行為種類とを取得すると、受信した行為種類が、「画面表示」であるか否かを判断する（Ｓ３０）。行為種類が、「画面表示」であれば（Ｓ３０／ＹＥＳ）フォーカス決定処理部５２は、記憶部ｍ２に保持されている情報を更新せずにＳ３２の処理を実行する。
【００８４】
行為種類情報が「画面表示」以外であれば（Ｓ３０／ＮＯ）、記憶部ｍ２に対し、受信した画面ＩＤ２２に対応するフォーカス情報２８を「１」に、それ以外の画面ＩＤ２２に対応するフォーカス情報２８を「０」に更新する（Ｓ３１）。
【００８５】
そして、フォーカス決定処理部５２は、記憶部ｍ２から各画面ＩＤ２２ａ〜２２ｄおよび各画面ＩＤ２２ａ〜２２ｄに対応するフォーカス情報２８を取得し、送信情報生成部５６へ送信する（Ｓ３２）。
【００８６】
プライオリティ決定部５４の処理の流れについて、図８、図９を用いて説明する。図８は、プライオリティ決定部５４による、画像情報の優先度が上昇する（優先度情報２６の値が低下する）場合の処理の流れ示すフローチャートであり、図９は、画像情報の優先度が低下する（優先度情報２６の値が上昇する）場合の処理の流れ示すフローチャートである。プライオリティ決定部５４は、行為検出部４８から行為画面の画面ＩＤ２２と行為種類と、を取得することにより、以下の処理を開始する。
【００８７】
プライオリティ決定部５４において実行される画像情報２４の優先度が上昇する（優先度情報２６の値が低下する）場合の処理について図８を用いて説明する。この処理は、行為検出部４８から行為画面の画面ＩＤ２２と行為種類と、を取得することにより開始される。
【００８８】
プライオリティ決定部５４は、受信した行為種類が「画面表示」であるか否か判断する（Ｓ４０）。行為種類が「画面表示」の場合（Ｓ４０／ＹＥＳ）、記憶部ｍ３に対して、受信した行為画面の画面ＩＤに対応する優先度情報を、画面表示に割り当てられている優先度情報２６の値である「２」に更新する（Ｓ４１）。一方、行為種類が「画面表示」でない場合（Ｓ４０／ＮＯ）、行為検出部４８から送信される行為種類は「書き込み」「体の向き」「指示」のいずれかであると判断し、記憶部ｍ３に対して、受信した行為画面の画面ＩＤ２２に対応する優先度情報２６を「１」に更新する（Ｓ４２）。プライオリティ決定部５４は、記憶部ｍ３に対して、行為種類を受信した時刻をイベント受信時刻２７として設定する（Ｓ４３）。また、プライオリティ決定部５４は、記憶部ｍ３に対して受信した行為種類を、イベント種類２５として設定する（Ｓ４４）。続いて、プライオリティ決定部５４は、記憶部ｍ３から各画面ＩＤ２２ａ〜２２ｄと各画面ＩＤ２２ａ〜２２ｄに対応する優先度情報２６とを取得し、送信情報生成部５６へ送信する（Ｓ４５）。
【００８９】
プライオリティ決定部５４による優先度が低下する（優先度情報２６の値が上昇する）場合の処理について図９を用いて説明する。図９は、優先度情報２６を監視する処理の流れを示すフローチャートである。この処理は、プライオリティ決定部５４において定期的に実行される。
【００９０】
プライオリティ決定部５４は、記憶部ｍ３から各画面ＩＤ２２ａ〜２２ｄの優先度情報２６を取得する（Ｓ５０）。プライオリティ決定部５４は、取得した優先度情報２６の値を判断し処理を分岐させる（Ｓ５１）。
【００９１】
優先度情報２６の値が「１」であれば（Ｓ５１／優先度情報の値＝１）、プライオリティ決定部５４は現在時刻Ｔｎを取得する。現在時刻Ｔｎはローカル会議端末１４ａのシステム情報より取得される（Ｓ５２）。続いて、プライオリティ決定部５４は、記憶部ｍ３から、イベント受信時刻Ｔｘを取得する。イベント受信時刻Ｔｘは、プライオリティ決定部５４が行為検出部４８から行為画面および行為種類の情報を受信した時刻を表している（Ｓ５３）。そして、プライオリティ決定部５４は、現在時刻Ｔｎとイベント受信時刻Ｔｘの差である経過時間（Ｔｎ−Ｔｘ）を計算し、経過時間と第一の優先度低下時間Δt１を比較する（Ｓ５４）。経過時間（Ｔｎ−Ｔｘ）が第一の優先度低下時間Δt１より大きい場合（Ｓ５４／ＹＥＳ）、プライオリティ決定部５４は、記憶部ｍ３に保持されている、受信した行為画面の画面ＩＤ２２に対応する優先度情報２６の値を一段階上昇させて「２」に更新する。即ち優先度を一段階下げる（Ｓ５５）。また、イベント受信時刻Ｔxを現在時刻Ｔｎの値に、イベント種類を「Δｔ１経過」に更新する（Ｓ５６）。経過時間（Ｔｎ−Ｔｘ）が第一の優先度低下時間Δt１より小さい場合（Ｓ５４／ＮＯ）、プライオリティ決定部５４は、記憶部ｍ３に記憶された情報を更新せずに、Ｓ６５の処理を実行する。
【００９２】
優先度情報２６の値が「２」の場合（Ｓ５１／優先度情報の値＝２）、プライオリティ決定部５４は現在時刻Ｔｎを取得する（Ｓ６０）。続いて、記憶部ｍ３から、受信した行為画面の画面ＩＤ２２に対応するイベント受信時刻Ｔｘを取得する（Ｓ６１）。そして、現在時刻Ｔｎからイベント受信時刻Ｔｘの差である経過時間（Ｔｎ−Ｔｘ）を計算し、経過時間と第二の優先度低下時間Δt２を比較する（Ｓ６２）。経過時間が第二の優先度低下時間Δt２より大きい場合（Ｓ６２／ＹＥＳ）、プライオリティ決定部５４は、記憶部ｍ３に対し、受信した行為画面の画面ＩＤ２２に対応する優先度情報２６の値を「３」に更新する（Ｓ６３）。また、イベント受信時刻Ｔxを現在時刻Ｔｎの値に、イベント種類２５を「Δｔ２経過」に更新する（Ｓ６４）。経過時間が第二の優先度低下時間Δt２より小さい場合（Ｓ６２／ＮＯ）、プライオリティ決定部５４は、記憶部ｍ３に記憶された情報を更新せずに、Ｓ６５の処理を実行する。
【００９３】
優先度情報２６の値がそれ以外の場合（Ｓ５１／優先度情報の値＝１，２以外）、プライオリティ決定部５４は、記憶部ｍ３に記憶された情報を更新せずに、Ｓ６５の処理を実行する。
【００９４】
以上の優先度情報２６の値に応じて分岐した処理の後、プライオリティ決定部５４は、記憶部ｍ３から、各画面ＩＤ２２ａ〜２２ｄ、各画面ＩＤ２２ａ〜２２ｄに対応する優先度情報２６、イベント種類２５およびイベント受信時刻Ｔｘを取得し、送信情報生成部５６へ送信する（Ｓ６５）。
【００９５】
送信情報生成部５６は、フォーカス決定処理部５２から各画面ＩＤ２２ａ〜２２ｄ及び対応するフォーカス情報２８を受信すると、記憶部ｍ４に保持されているフォーカス情報２８の値を、受信したフォーカス情報２８の値に更新する。送信情報生成部５６は、プライオリティ決定部５４から各画面ＩＤ２２ａ〜２２ｄ及び対応する優先度情報２６を受信すると、記憶部ｍ４に保持されている優先度情報２６の値を、受信した優先度情報２６の値に更新する。
【００９６】
送信情報生成部５６は表示制御処理部４０から、各画面ＩＤ２２ａ〜２２ｄおよび対応する各画像情報２４ａ〜２４ｄを定期的に受信する。そして、送信情報生成部５６は、記憶部ｍ４から、各画面ＩＤ２２ａ〜２２ｄと対応する各画面役割２３ａ〜９１ｄ、各優先度情報２６ａ〜２６ｄ、各フォーカス情報２８ａ〜２８ｄ、各イベント種類２５ａ〜２５ｄ、各イベント受信時刻２７ａ〜２７ｄを取得する。そして、送信情報生成部５６は、これらの情報に、画面ＩＤ２２が一致している画像情報２４を追加して送信情報１８を生成し、通信制御処理部５８へ送信する。
【００９７】
通信制御処理部５８は、送信情報生成部５６から送信情報１８を受信し、送信情報１８を、接続中のリモート会議端末１４ｂへ送信する。
【００９８】
以上で、ローカル会議端末１４ａの構成およびローカル会議端末１４ａが実行する処理について説明を終了する。
【００９９】
続いて、リモート会議端末１４ｂにおいて実行される処理について説明する。
【０１００】
通信処理部６１は、ローカル会議端末１４ａから送信情報１８を受信し、送信情報１８を表示制御処理部６２へ送信する。
【０１０１】
画面割付処理部６４による画面割付の方法を図１１、図１２のフローチャートを用いて説明する。図１１は、リモート会議端末１４ｂの画面数に応じた処理の流れを示すフローチャートである。図１２は、ローカル会議端末１４ａの画面数が、リモート会議端末１４ｂの画面数より多い場合における、画面割付処理部６４による画面割付処理の流れを示すフローチャートである。
【０１０２】
画面割付処理部６４は、リモート会議端末１４ｂの画面数（＝ｒ）を取得する。リモート会議端末１４ｂの画面数ｒはリモート会議端末１４ｂに予め設定されている値である。画面割付処理部６４は、通信処理部６１から送信情報１８を受信し、送信情報１８に含まれる画面ＩＤ２２が何種類あるかによって、ローカル会議端末１４ａの画面数（＝ｎ）を取得する（Ｓ７０）。そして、リモート会議端末１４ｂの画面数ｒとローカル会議端末１４ａの画面数ｎとを比較する（Ｓ７１）。
【０１０３】
リモート会議端末１４ｂの画面数ｒが１つ（ｒ＝１）の場合、リモート会議端末１４ｂは、ローカル会議端末１４ａにおいてフォーカス表示されていた画面２０の画像情報２４を、リモート会議端末１４ｂにおいて表示する。そのため、画面割付処理部６４は、各送信情報１８ａ〜１８ｄからフォーカス情報２８が「１」である画面ＩＤ２２を特定する。画面割付処理部６４は、リモート会議端末１４ｂの画面３０に、特定された画面ＩＤ２２を割り当てる（Ｓ７２）。
【０１０４】
リモート会議端末１４ｂの画面数ｒが、ローカル会議端末１４ａの画面数ｎより少ない場合（ｎ＞ｒ）の処理の詳細については後述する（Ｓ７５）。
【０１０５】
リモート会議端末１４ｂの画面数ｒが、ローカル会議端末１４ａの画面数ｎと同じ（ｎ＝ｒ）、または多い（ｎ＜ｒ）場合の処理は、以下のとおりである。予め、送信情報１８に含まれる画面ＩＤ２２に、リモート会議端末１４ｂの画面３０を対応づけておく。そして、送信情報１８を受信した場合、リモート会議端末１４ｂは、予め対応づけられたリモート会議端末１４ｂの画面３０に、画面ＩＤ２２ａ〜２２ｄを割り当てる（Ｓ７３，Ｓ７４）。
【０１０６】
このように、画面割付処理部６４は、ローカル会議端末１４ａから送信される画像情報２４の数と、リモート会議端末１４ｂの画面数を比較して、画面の割付を決定する。
【０１０７】
リモート会議端末１４ｂの画面数ｒが、ローカル会議端末１４ａの画面数ｎより少ない場合（ｒ＜ｎ）の処理の詳細について、図１２を用いて説明する。尚、本実施の形態では、ローカル会議端末１４ａが持つ画面数ｎは４であり、４つの送信情報１８ａ〜１８ｄが送信される。また、リモート会議端末１４ｂが持つ画面数ｒは２であり、それぞれ画面３０ａ、画面３０ｂとする。
【０１０８】
画面割付処理部６４は、画面役割２３の値が「１」である送信情報１８の画面ＩＤ２２を取得する。本実施の形態では、送信情報１８ｃの画面役割２３の値が「１」であるため、画面割付処理部６４は画面ＩＤ２２ｃを取得する。尚、画面役割２３の値は、ローカル会議端末１４ａにおいて予め各送信情報１８ａ〜１８ｄに割り当てられており、リモート会議端末１４ｂにおいてその値は変化しない。続いて、画面割付処理部６４は、フォーカス情報２８の値が「１」である画面ＩＤ２２を取得する。また、画面割付処理部６４はリモート会議端末１４ｂにおけるメイン画面の識別子であるリモート画面ＩＤ３２を取得する。本実施の形態では、リモート会議端末１４ｂの画面３０ｂがメイン画面としているため、画面割付処理部６４は画面３０ｂに対応しているリモート画面ＩＤ３２ｂを取得する（Ｓ８０）。
【０１０９】
続いて、画面割付処理部６４は、受信した各送信情報１８ａ〜１８ｄをソートして順番を決定する。並び替える際の大小の基準は以下のとおりである。まず、優先度情報２６の値が小さい（優先度が高い）ほど順位は高い。優先度情報２６の値が同じ場合は、イベント受信時刻２７の値が大きいほど順位は高い。即ち、イベントの発生が後のものほど順位は高い。イベント受信時刻２７も同じ場合は、イベント種類２５の値が、「書き込み」「体の向き」「指示」「画面表示」「Δｔ１経過」「Δｔ２経過」の順に順位は高い。イベントの種類２５も同じ場合は、予め初期値として設定しておいた各送信情報１８ａ〜１８ｄの順序に従う。例えば、画面ＩＤ２２の番号が少ないものほど順位は高いとする（Ｓ８１）。
【０１１０】
次に、画面割付処理部６４は、並べ替えた各送信情報１８ａ〜１８ｄを、上位から順に、リモート会議端末１４ｂの画面数（＝ｒ）だけ抽出する（Ｓ８２）。
【０１１１】
次に、抽出した送信情報１８の中に、画面役割２３の値が「１」、即ちローカル会議端末１４ａにおけるメイン画面の送信情報１８が、Ｓ８２において抽出された表示すべきリストに含まれているか否か確認する（Ｓ８３）。
【０１１２】
抽出された送信情報１８の中に、画面役割２３の値が「１」である送信情報１８が含まれている場合（Ｓ８３／ＹＥＳ）、その送信情報１８における優先度情報２６の値が、３より小さいか否か確認する。即ち、ローカル会議端末１４ａにおけるメイン画面に表示中の画像情報２４の優先度情報２６を調べる（Ｓ８４）。一方、画面役割２３の値が「１」である送信情報１８が含まれていない場合（Ｓ８３／ＮＯ）Ｓ８６の処理へ移る。
【０１１３】
画面役割２３の値が「１」である送信情報１８における優先度情報２６の値が３より小さい（優先度が高い）場合（Ｓ８４／ＹＥＳ）、画面割付処理部６４は、リモート会議端末１４ｂにおけるメイン画面である画面３０ｂに、画面役割２３の値が「１」である送信情報１８を割り付ける（Ｓ８５）。即ち、画面割付処理部６４の記憶部ｍ５に、画面ＩＤ３２ｂと画面役割２３の値が「１」である送信情報１８の画面ＩＤ２２とを対応づけて記憶させる。一方、画面役割２３の値が「１」である送信情報１８における優先度情報２６の値が３以上の（優先度が低い）場合（Ｓ８４／ＮＯ）Ｓ８６の処理へ移る。
【０１１４】
続いて、リモート会議端末１４ｂにおけるサブ画面に対する画面割付処理が実行される。この処理は、Ｓ８１において並び替えられた各送信情報１８ａ〜１８ｄを、順番に比較しながら実行される。ただし、Ｓ８３〜Ｓ８５の処理の間に画面割付された送信情報１８は除く。
【０１１５】
画面割付処理部６４は、抽出された送信情報１８の並び順に従って、一つの送信情報１８を取得する（Ｓ８６）。
【０１１６】
画面割付処理部６４は、Ｓ８６で取得した比較対象である送信情報１８における画像情報２４が、リモート会議端末１４ｂの各画面３０ａ，３０ｂのいずれかに表示されているか否か判断する。具体的には以下の処理を実行する。画面割付処理部６４は、表示状態保持部６８からリモート画面ＩＤ３２ａ，３２ｂに対応付けられた画面ＩＤ２２を取得する。即ち、リモート会議端末１４ｂの各画面３０ａ，３０ｂにおいて既に表示されている画像情報２４を含む送信情報１８を取得する。続いて、画面割付処理部６４は、ステップＳ８６において取得した送信情報１８の画面ＩＤ２２と表示状態保持部６８から取得した画面ＩＤ２２を比較し、一致するか否か判断する。即ち、比較対象である送信情報１８の画面ＩＤ２２が、リモート会議端末１４ｂの各画面３０ａ，３０ｂにおいて既に表示されている画像情報２４に対応する画面ＩＤ２２のいずれかと一致するか否か判断する（Ｓ８７）。
【０１１７】
一致する画面ＩＤ２２がある場合（Ｓ８７／ＹＥＳ）、画面割付処理部６４は、その画面ＩＤ２２に対応するリモート会議端末１４ｂのリモート画面ＩＤ３２を変更しない。具体的には、画面割付処理部６４の記憶部ｍ５において、Ｓ８６において取得した送信情報１８の画面ＩＤ２２と、それに対応するリモート画面ＩＤ３２の情報を維持する。即ち、リモート会議端末１４ｂの画面３０に同じ画面ＩＤ２２に対応する画像情報を表示している場合は、そのまま同じ画面ＩＤ２２に対応する画像情報を表示させるようにする（Ｓ８８）。
【０１１８】
一方、一致する画面ＩＤ２２がない場合（Ｓ８７／ＮＯ）、割付が決定していないリモート会議端末１４ｂの画面３０のうち、メイン画面に近い画面に画面ＩＤ２２を割り当てる。即ち、画面割付処理部６４の記憶部ｍ５において、画面ＩＤ２２と対応付けられていないリモート画面ＩＤ３２であって、メイン画面に近い画面３０のリモート画面ＩＤ３２に対応して、画面ＩＤ２２を記憶させる。尚、メイン画面に近い／遠いを表す順序の情報は、予めリモート会議端末１４ｂに登録されており、画面割付処理部６４は、この順序の情報に従って各画面３０ａ，３０ｂの順序を判断する（Ｓ８９）。
【０１１９】
そして、画面割付処理部６４は、Ｓ８６〜Ｓ８９の処理を、リモート会議端末１４ｂの画面数分だけ繰り返し、記憶部ｍ５に全てのリモート画面ＩＤ３２に対して、対応する送信情報１８の画面ＩＤ２２を記憶させる。
【０１２０】
表示制御処理部６２は、画面割付処理部６４の記憶部ｍ５からリモート画面ＩＤ３２ａ，３２ｂと、対応する送信情報１８の画面ＩＤ２２を取得し、表示状態保持部６８に保持されている情報を、取得した画面割付の情報に更新する。表示状態保持部６８に保持されている情報を、これから表示する画像情報２４に対応する画面ＩＤ２２に更新する（Ｓ９０）。尚、更新後、画面割付処理部６４は、記憶部ｍ５の情報をクリアする。
【０１２１】
フォーカス割付処理部６６は、リモート会議端末１４ｂの各画面３０ａ，３０ｂに、画像情報２４の表示形態を対応させる機能を有する。フォーカス割付処理部６６は、各送信情報１８ａ〜１８ｄから、フォーカス情報２８の値が「１」である送信情報１８の画面ＩＤ２２を取得する。
【０１２２】
フォーカス割付処理部６６は、表示状態保持部６８からリモート画面ＩＤ３２ａ，３２ｂに対応している画面ＩＤ２２とリモート画面ＩＤ３２を取得する。即ち、リモート会議端末１４ｂの画面３０に表示される画像情報２４に対応する画面ＩＤ２２を取得する。
【０１２３】
フォーカス割付処理部６６は、表示状態保持部６８から取得した画面ＩＤ２２に対応する送信情報１８におけるフォーカス情報２８の値が「１」であるか否かを判定する。
【０１２４】
フォーカス情報２８の値が「１」の場合、記憶部ｍ６に対し画面ＩＤ２２と共に表示状態保持部６８から取得したリモート画面ＩＤ３２に対応するフォーカス情報２８を「１」（強調表示する、または他の画面と異なる形態で表示する）に更新する。フォーカス情報２８の値が「１」以外の場合、フォーカス情報２８を「０」（通常表示する、または他の画面と同様の形態で表示する）に更新する。このように、各リモート画面ＩＤ３２ａ，３２ｂに対応するフォーカス情報２８が、記憶部ｍ６に記憶される。
【０１２５】
表示制御処理部６２は、フォーカス割付処理部６６の記憶部ｍ６からリモート会議端末１４ｂの各リモート画面ＩＤ３２ａ，３２ｂと、各リモート画面ＩＤ３２ａ，３２ｂに対応するフォーカス情報２８を取得し、表示状態保持部６８に、取得したフォーカス情報２８の値を登録する。
【０１２６】
表示制御処理部６２は、表示状態保持部６８から各リモート画面ＩＤ３２ａ，３２ｂに対応している画面ＩＤ２２を取得する。そして、リモート会議端末１４ｂの各画面３０ａ，３０ｂに、取得した画面ＩＤ２２によって識別される送信情報１８に含まれる画像情報２４を表示する（Ｓ９１）。
【０１２７】
また、表示制御処理部６２は、表示状態保持部６８から各リモート画面ＩＤ３２ａ，３２ｂに対応しているフォーカス情報２８を取得する。あるリモート画面ＩＤ３２に対応しているフォーカス情報２８の値が「１」であれば、そのリモート画面ＩＤ３２によって特定される画面３０に表示する画像情報２４を、他の画面と異なる形態で表示する。
【０１２８】
以上のように、ローカル会議端末１４ａは、リモート会議端末１４ｂに、画像情報２４と画像情報２４に割り当てられた優先度情報２６、イベント種類２５、イベント受信時刻２７を送信し、リモート会議端末１４ｂに、これらの情報に基づいて画像情報２４を選択させることができる。
【０１２９】
次に、プレゼンテーションにおける発表者の動作に伴う、各画面２０ａ〜２０ｄに対応する優先度情報２６の値の変化およびフォーカス情報２８の値の変化について図１３を用いて説明する。図１３は会議室１２ａにおける、画面２０と発表者の位置を示した図である。図１３に示す画面は、ローカル会議端末１４ａの画面２０ａ〜２０ｄであり、左から画面２０ａ、画面２０ｂ、画面２０ｃ、画面２０ｄとする。
【０１３０】
プレゼンテーションの開始時において、すべての画面は表示されていないため、すべての画面ＩＤ２２の優先度情報２６の値は「ｎｉｌ」である。発表者がプレゼンテーションを開始し、画面２０ｂと画面２０ｃに画像情報が表示される。そして、発表者が、画面２０ｂと画面２０ｃの間に立ち、画面２０ｂへ体を向けている。その結果、行為検出部４８は、行為画面＝画面ＩＤ２２ｂ、行為種類＝体の向き、を検出する。また、画面２０ｃに画像情報が表示されたため、行為画面＝画面ＩＤ２２ｃ、行為種類＝画面表示、を検出する。そして、これらの行為画面および行為種類の情報を、フォーカス決定処理部５２およびプライオリティ決定部５４へ送信する。
【０１３１】
プライオリティ決定部５４は、上記の行為画面および行為種類の情報を受信すると、画面ＩＤ２２ｂに対する行為種類が「体の向き」であるため、画面ＩＤ２２ｂに対応する優先度情報２６の値として「１」に、イベント種類２５の値を「体の向き」に設定する。一方、画面ＩＤ２２ｃに対する行為種類は「画面表示」であるため、画面ＩＤ２２ｃに対応する優先度情報２６の値として「２」に、イベント種類２５の値を「画面表示」に設定する。画面２０ａ，２０ｄについては、画面が表示されていないため、画面ＩＤ２２ａ，画面ＩＤ２２ｄに対応する優先度情報２６の値は、初期値である「ｎｉｌ」のままである（図８のフローチャート参照）。
【０１３２】
フォーカス決定処理部５２は、画面ＩＤ２２ｂに対する行為種類が「体の向き」であるため、画面ＩＤ２２ｂに対応するフォーカス情報２８の値として「１」を設定する。それ以外の画面ＩＤ２２に対応するフォーカス情報２８の値を「０」に設定する（図１３の８００）。
【０１３３】
発表者が画面２０ｃに表示されている画像情報を用いて説明するために、画面２０ｃへ体を向け、画面２０ｃの一部を指し示している。行為検出部４８は、行為画面＝画面ＩＤ２２ｃ、行為種類＝指示、を検出する。そして、これらの行為画面および行為種類の情報を、フォーカス決定処理部５２およびプライオリティ決定部５４へ送信する。
【０１３４】
プライオリティ決定部５４は、上記の行為画面および行為種類の情報を受信すると、画面ＩＤ２２ｃに対する行為種類が「指示」であるため、画面ＩＤ２２ｃに対応する優先度情報２６の値として「１」を、イベント種類２５の値として「指示」を設定する。また、画面ＩＤ２２ｃに対応するフォーカス情報２８の値を「１」に設定し、それ以外の画面ＩＤ２２に対応するフォーカス情報２８の値を「０」に設定する（図１３の８０１）。
【０１３５】
発表者が画面２０ｃへ体を向けたまま、第一の優先度低下時間Δｔ１が経過する。プライオリティ決定部５４は、画面ＩＤ２２ｂに対応する優先度情報２６の値を「２」へ変更する。発表者が行為を及ぼす画面２０は変更しないため、行為検出部４８が検出する行為画面は変わらない。そのため、フォーカス決定処理部５２は、各画面ＩＤ２２ａ〜２２ｄに対応するフォーカス情報２８の値を更新しない（図１３の８０２）。
【０１３６】
発表者が画面２０ｃへ体を向けたまま、画面２０ｄに画像情報が表示される。このとき、行為検出部４８は、行為画面＝画面ＩＤ２２ｄ、行為種類＝画面表示、を検出する。そして、この行為画面および行為種類の情報を、フォーカス決定処理部５２およびプライオリティ決定部５４へ送信する。
【０１３７】
プライオリティ決定部５４は、行為検出部４８から上記の行為画面および行為種類の情報を受信すると、行為画面である画面ＩＤ２２ｄに対する行為種類が「画面表示」であるため、画面ＩＤ２２ｄに対応する優先度情報２６の値を「２」に、イベント種類２５の値を「画面表示」に更新する。フォーカス決定処理部５２は、「画面表示」の通知を受信した場合は、各画面ＩＤに対応するフォーカス情報２８の値を更新しない（図１３の８０３）。
【０１３８】
画面２０ｂの優先度情報２６の値が「２」に更新されてから、さらにΔｔ２の時間が経過した場合、プライオリティ決定部５４は画面ＩＤ２２ｂに対応する優先度情報２６の値を「３」に更新する。発表者が行為を及ぼす画面は変更しないため、行為検出部４８が検出する行為画面は変わらない。そのため、フォーカス決定処理部５２は、各画面ＩＤ２２に対応するフォーカス情報２８の値を更新しない（図１３の８０４）。
【０１３９】
発表者が、画面２０ｄに体を向け、画面２０ｄに書き込みを行う。行為検出部４８は、行為画面＝画面ＩＤ２２ｄ、行為種類＝書き込み、を検出する。プライオリティ決定部５４は、上記の行為画面および行為種類の情報を受信すると、画面ＩＤ２２ｄに対する行為種類が「書き込み」であるため、画面ＩＤ２２ｄに対応する優先度情報２６の値を「１」に更新する。また、フォーカス決定処理部５２は、画面ＩＤ２２ｄに対応するフォーカス情報２８の値を「１」に、それ以外の画面ＩＤ２２に対応するフォーカス情報２８の値を「０」に更新する（図１３の８０５）。
【０１４０】
発表者が、画面２０ｄの方に体を向けたままの状態で、画面２０ａに画像表示される。行為検出部４８は、行為画面＝画面ＩＤ２２ａ、行為種類＝画面表示、を検出する。そして、これらの行為画面および行為種類の情報を、フォーカス決定処理部５２およびプライオリティ決定部５４へ送信する。
【０１４１】
プライオリティ決定部５４は、上記の行為画面および行為種類の情報を受信すると、画面ＩＤ２２ａに対する行為種類が「画面表示」であるため、画面ＩＤ２２ａに対応する優先度情報２６の値を「２」に、イベント種類２５の値を「画面表示」に更新する。フォーカス決定処理部５２は、「画面表示」の通知を受信した場合、各画面ＩＤに対応するフォーカス情報２８を更新しない（図１３の８０６）。
【０１４２】
発表者が、画面２０ｄを用いて説明を開始してから、時間（Δｔ１＋Δｔ２）が経過する。即ち、画面２０ｃに対して何もしなくなってから、時間（Δｔ１＋Δｔ２）が経過する。プライオリティ決定部５４は、画面ＩＤ２２ｃに対応する優先度情報２６の値を「３」に変更する。尚、プライオリティ決定部５４は、画面２０ａに画像表示されてから時間Δｔ２経過した時点で、画面ＩＤ２２ａに対応する優先度情報２６の値を「３」に更新する。発表者が行為を及ぼす画面は変更しないため、行為検出部４８が検出する行為画面は変わらない。そのため、フォーカス決定処理部５２は、各画面ＩＤ２２ａ〜２２ｄに対応するフォーカス情報２８の値を更新しない（図１３の８０７）。
【０１４３】
発表者が、画面２０ａを用いながら発表する。行為検出部４８は、行為画面＝画面ＩＤ２２ａ、行為種類＝体の向き、を検出する。そして、これらの行為画面および行為種類の情報を、フォーカス決定処理部５２およびプライオリティ決定部５４へ送信する。
【０１４４】
プライオリティ決定部５４は、上記の行為画面および行為種類の情報を受信すると、画面ＩＤ２２ａに対する行為種類が「体の向き」であるため、画面ＩＤ２２ａに対応する優先度情報２６の値として「１」を、イベント種類２５の値として「体の向き」を設定する。フォーカス決定処理部５２は、画面ＩＤ２２ａに対応するフォーカス情報２８の値を「１」に、それ以外の画面ＩＤに対応するフォーカス情報２８の値を「０」に変更する（図１３の８０８）。
【０１４５】
発表者が、画面２０ｃを用いながら発表する。また、それとほぼ同時に画面２０ｄの表示内容が切り替わる。行為検出部４８は、行為画面＝画面ＩＤ２２ｃ、行為種類＝体の向き、を検出する。また、画面２０ｄに画像表示されたため、行為画面＝画面ＩＤ２２ｄ、行為種類＝画面表示、を検出する。そして、これらの行為画面および行為種類の情報を、フォーカス決定処理部５２およびプライオリティ決定部５４へ送信する。
【０１４６】
プライオリティ決定部５４は、上記の行為画面および行為種類の情報を受信すると、画面ＩＤ２２ｃに対する行為種類が「体の向き」であるため、画面ＩＤ２２ｃに対応する優先度情報２６の値として「１」を、イベント種類２５の値として「体の向き」を設定する。一方、画面ＩＤ２２ｄに対する行為種類は「画面表示」であるため、画面ＩＤ２２ｄに対応する優先度情報２６の値として「２」を設定する。フォーカス決定処理部５２は、画面ＩＤ２２ｃに対応するフォーカス情報２８を「１」に、それ以外の画面ＩＤに対応するフォーカス情報２８を「０」に変更する（図１３の８０９）。
【０１４７】
続いて、リモート会議端末１４ｂにおいて、リモート会議端末１４ｂの画面に表示される画像情報と、各画面における表示の形態について図１４を用いて説明する。図１４は、ローカル会議室１２ａにおいて図１３に示すとおりにプレゼンテーションが行なわれた場合における、リモート会議端末１４ｂの画面に表示される画像情報、および画面の表示形態を示している。尚、リモート会議端末１４ｂにおける画面表示処理について説明する場合、ローカル会議端末１４ａの送信情報生成処理に対応するステップに対し「’」をつける。尚、リモート会議端末１４ｂにおいて画面３０ｂがメイン画面として予め設定される。
【０１４８】
画面割付処理部６４は、画面ＩＤ２２が「画面ＩＤ２２ａ，画面ＩＤ２２ｂ，画面ＩＤ２２ｃ，画面ＩＤ２２ｄ」、画面役割２３の値が「０，０，１，０」、優先度情報２６の値が「ｎｉｌ，１，２，ｎｉｌ」、フォーカス情報２８の値が「０，０，１，０」を含む送信情報１８を受信する。
【０１４９】
リモート会議端末１４ｂの画面割付処理部６４は、優先度情報２６の値が小さい（優先度の高い）方から順に、送信情報１８をリモート会議端末１４ｂの画面数（＝２）だけ選択する。送信情報１８のうち画面ＩＤ２２ｂおよび画面ＩＤ２２ｃによって特定される送信情報１８ｂ，１８ｃの優先度情報２６の値が、他の送信情報１８ａ，１８ｄの優先度情報２６の値より小さい（優先度が高い）ため、画面ＩＤ２２ｂおよび画面ＩＤ２２ｃに対応する送信情報１８が選択される。
【０１５０】
画面ＩＤ２２ｃによって特定される送信情報１８ｃにおける画面役割２３の値が「１」（メイン画面をあらわす）であり、リモート会議端末１４ｂの画面３０ｂがメイン画面であるため、リモート会議端末１４ｂの画面３０ｂに対応するリモート画面ＩＤ３２ｂに画面ＩＤ２２ｃが割り当てられる。また、リモート会議端末１４ｂの別の画面３０ａに対応するリモート画面ＩＤ３２ａに画面ＩＤ２２ｂが割り当てられる。そして画面３０ａ，画面３０ｂに、割り当てられた画面ＩＤ２２に対応する送信情報１８に含まれる画像情報２４が表示される。
【０１５１】
フォーカス割付処理部６６は、画面ＩＤ２２ｂによって特定される送信情報１８ｂのフォーカス情報２８ｂの値が「１」であることから、画面ＩＤ２２ｂに対応している画面３０ａにおいて、画像情報２４ｂが他の画面と異なる形態で表示される。（図１４の８００’）。
【０１５２】
表示制御処理部６２は、画面ＩＤ２２ｂによって特定される送信情報１８ｂのフォーカス情報２８ｂの値が「０」に変更され、画面ＩＤ２２ｃによって特定される送信情報１８ｃの優先度情報２６ｃの値が「１」に、フォーカス情報２８ｃの値が「１」に変更された送信情報１８を受信する。送信情報１８ｃの画面役割の値は「１」であり、優先度情報２６ｃの値は３より小さい（優先度が高い）ため、画面割付処理部６４は、リモート会議端末１４ｂの画面３０ｂに対応する画面ＩＤ２２を更新しない（図１２Ｓ８３，８４参照）。一方、画面ＩＤ２２ｂによって特定される送信情報１８ｂのフォーカス情報２８ｂの値が「０」であるため、画面ＩＤ２２ｂが割り当てられている画面３０ａにおいて画像情報２４ｂを通常の表示形態により表示する。一方、画面ＩＤ２２ｃによって特定される送信情報１８ｃのフォーカス情報２８ｃの値が「１」であるため、画面ＩＤ２２ｃが割り当てられている画面３０ｂにおいて画像情報２４ｃを他と異なる表示形態により表示する（図１４の８０１’）。
【０１５３】
表示制御処理部６２は、画面ＩＤ２２ｂによって特定される送信情報１８ｂの優先度情報２６の値が「２」に変更された送信情報１８を受信する。送信情報１８ｂの優先度情報２６の値は「２」であり、画面ＩＤ２２ａおよび画面ＩＤ２２ｄによって特定される送信情報１８ａ，１８ｄの優先度情報２６の値が「ｎｉｌ」であるため、引き続きリモート会議端末１４ｂの画面３０ａに画面ＩＤ２２ｂが割り当てられる（図１４の８０２’）。
【０１５４】
表示制御処理部６２は、画面ＩＤ２２ｄによって特定される送信情報１８ｂの優先度情報２６の値が「２」に変更された送信情報１８を受信する。画面ＩＤ２２ｂと画面ＩＤ２２ｄによって特定される送信情報１８ｂ，１８ｄの優先度情報２６の値は、共に「２」であり等しい。優先度情報２６の値が等しい場合、イベント受信時刻２７の大きいほうが上位に並べ替えられる。この場合、送信情報１８ｄのイベント受信時刻２７ｄのほうが、送信情報１８ｂのイベント受信時刻２７ｂよりも大きいため、リモート会議端末１４ｂの画面３０ａに画面ＩＤ２２ｄが割り当てられる（図１４の８０３’）。
【０１５５】
表示制御処理部６２は、画面ＩＤ２２ｂによって特定される送信情報１８ｂの優先度情報２６の値が「３」に変更された送信情報１８を受信する。この場合、画面ＩＤ２２ｄによって特定される送信情報１８ｄの優先度情報２６の値が、送信情報１８ｂの優先度情報２６の値より小さい（優先度が高い）ため、リモート会議端末１４ｂの画面３０ａに画面ＩＤ２２ｄが割り当てられる（図１４の８０４’）。
【０１５６】
表示制御処理部６２は、画面ＩＤ２２ｃによって特定される送信情報１８ｃのフォーカス情報２８ｃの値が「０」に変更され、画面ＩＤ２２ｄによって特定される送信情報１８ｄのフォーカス情報２８ｄの値が「１」に、優先度情報２６ｄの値が「１」に変更された送信情報１８を受信する。表示制御処理部６２は、送信情報１８ｄの優先度情報２６ｄの値が「１」であるため、リモート会議端末１４ｂの画面３０ａに画面ＩＤ２２ｄを割り当てる。また、送信情報１８ｄのフォーカス情報２８ｄの値が「１」であるため、画面３０ａおいて画像情報２４ｄを他の画面３０と異なる形態で表示する（図１４の８０５’）。
【０１５７】
表示制御処理部６２は、画面ＩＤ２２ａによって特定される送信情報１８ａの優先度情報２６の値が「２」に変更された送信情報１８を受信する。送信情報１８ａの優先度情報２６の値は、画面ＩＤ２２ｃおよび画面ＩＤ２２ｄによって特定される送信情報１８ｃ，１８ｄの優先度情報２６の値より大きい（優先度が低い）ため、画面ＩＤ２２ａは、リモート会議端末１４ｂにおいて画面表示されない（図１４の８０６’）。
【０１５８】
表示制御処理部６２は、画面ＩＤ２２ａによって特定される送信情報１８ａの優先度情報２６の値が「３」に変更され、画面ＩＤ２２ｃによって特定される送信情報１８ｃの優先度情報２６値が「３」に変更された送信情報１８を受信する。画面ＩＤ２２ａ、画面ＩＤ２２ｂおよび画面ＩＤ２２ｃによって特定される送信情報１８ａ，１８ｂ，１８ｃに対応する優先度情報２６の値は共に「３」であり等しい。そこで、各画面ＩＤ２２ａ〜２２ｄに対応するイベント受信時刻２７ａ〜２７ｄを比較すると、送信情報１８ｃのイベント受信時刻２７ｃの値が最も大きい、リモート会議端末１４ｂの画面３０ｂに画面ＩＤ２２ｃが割り当てられる（図１４の８０７’）。
【０１５９】
表示制御処理部６２は、画面ＩＤ２２ａによって特定される送信情報１８ａのフォーカス情報２８の値が「１」に、優先度情報２６の値が「１」に変更され、画面ＩＤ２２ｄによって特定される送信情報１８ｄのフォーカス情報２８の値が「０」に変更された送信情報１８を受信する。送信情報１８ａと送信情報１８ｄの優先度情報２６の値は、他の画面ＩＤ２２の優先度情報２６の値より小さい（優先度が高い）ため、送信情報１８ａと送信情報１８ｄの画面ＩＤ２２ａおよび画面ＩＤ２２ｄがリモート会議端末１４ｂの画面３０に割り当てられる。その際、画面ＩＤ２２ｄは、すでにリモート会議端末１４ｂの画面３０ａに表示されているため、引き続き画面３０ａに表示される。また、画面ＩＤ２２ａに対応するフォーカス情報２８の値が「１」であるため、画面ＩＤ２２ａに対応する画面３０ｂにおいて、他と異なる表示形態で画像情報を表示する（図１４の８０８’）。
【０１６０】
表示制御処理部６２は、画面ＩＤ２２ａによって特定される送信情報１８ａのフォーカス情報２８が「０」に変更され、画面ＩＤ２２ｃによって特定される送信情報１８ｃのフォーカス情報２８が「１」に、優先度情報２６の値が「１」に変更された送信情報１８を受信する。表示制御処理部６２は、各送信情報１８ａ〜１８ｄから優先度情報２６の値が小さい（優先度の高い）送信情報１８ａおよび送信情報１８ｃを選択する。送信情報１８ｃの画面役割は「１」であるため、リモート会議端末１４ｂのメイン画面である画面３０ｂに送信情報１８ｃを特定する画面ＩＤ２２ｃが割り当てられる（図１４の８０９’）。
【０１６１】
以上のように、ローカル会議端末１４ａからリモート会議端末１４ｂへ、画面ＩＤ２２ごとに優先度情報２６、フォーカス情報２８、イベント種類２５、イベント受信時刻２７および画像情報２４を含む送信情報１８を送信することによって、リモート会議端末１４ｂにおいて、送信情報１８に含まれる画像情報２４をリモート会議端末１４ｂの画面に表示するか否かの基準となる情報が得られるため、画面３０に表示する画像情報２４と、表示しない画像情報２４とをリモート会議端末１４ｂに選択させることが出来る。
【０１６２】
本実施の形態において、ローカル会議端末１４ａが持つ画面は、ローカル会議端末１４ａに接続された表示装置が備える画面としており、ローカル会議端末１４ａは表示装置の１つの画面に１つの画像情報を表示している。しかし、本発明におけるローカル会議端末１４ａが持つ画面は、１つの表示装置の画面の表示領域を複数に分割して生成された、それぞれの表示領域とすることも可能である。
【０１６３】
尚、リモート会議端末１４ｂの画面数が、ローカル会議端末１４ａの画面数より多い場合、余っているリモート会議端末１４ｂの画面には、優先度の高い画像情報を表示してもよいし、画像を表示しなくてもよい。また、表示可能な画像情報の一覧を表示してもよい。
【０１６４】
本実施の形態において、ローカル会議端末１４ａにおいて、第一の優先度低下時間Δt１および第二の優先度低下時間Δt２は、全ての画面ＩＤ２２ａ〜２２ｄに対して共通の時間としていた。しかし、優先度が低下（優先度情報が上昇する）する場合の処理は、画面ＩＤ２２ごとに処理されるため、画面ＩＤ２２ごとに異なる第一の優先度低下時間Δt１および第二の優先度低下時間Δt２を設定することが可能である。例えば、メイン画面の画面ＩＤ２２ｃについて、第一の優先度低下時間Δtを大きくすることによって、画面ＩＤ２２ｃに対応する優先度情報２６ｃの値が「１」である時間が長くなる。そのため、メイン画面に表示される画像情報２６ｃが、リモート会議端末１４ｂの画面３０に表示される可能性が高くなる。
【図面の簡単な説明】
【０１６５】
【図１】本実施の形態の電子会議システムの全体構成を示す構成図である。
【図２】会議室で行なわれているプレゼンテーションの流れを示した図である。
【図３】送信情報のデータ構成の概要図である。
【図４】ローカル会議端末及びリモート会議端末の構成を示すブロック図である。
【図５】撮像データを解析することによって、発表者の行為を検出する処理の流れを示すフローチャートである。
【図６】追記画像情報を利用して、発表者の行為を検出する処理の流れを示すフローチャートである。
【図７】フォーカス決定処理部における処理の流れを示すフローチャートである。
【図８】プライオリティ決定部による、画像情報の優先度が上昇する場合における処理の流れ示すフローチャートである。
【図９】プライオリティ決定部による、画像情報の優先度が低下する場合における処理の流れ示すフローチャートである。
【図１０】送信情報のデータ構成の詳細図である。
【図１１】リモート会議端末の画面数に応じた処理の流れを示すフローチャートである。
【図１２】ローカル会議端末の画面数が、リモート会議端末の画面数より多い場合における、画面割付処理の流れを示すフローチャートである。
【図１３】ローカル会議端末の置かれている会議室における、画面と発表者の位置を示す図である。
【図１４】リモート会議端末の画面に表示される画像情報、および画面の表示形態を示す図である。
【符号の説明】
【０１６６】
１０  電子会議システム、１２  会議室、１４  会議端末、１６，２０，３０  画面、１８  送信情報、２２  画面ＩＤ、２４  画像情報、２６  優先度情報、２８  フォーカス情報、４０  表示制御処理部、４４  ペンデバイス、４８  行為検出部、５０  カメラ、５２  フォーカス決定処理部、５４  プライオリティ決定部、５６  送信情報生成部、６０，６１  通信処理部、６２  表示制御処理部、６４  画面割付処理部、６６  フォーカス割付処理部、６８  表示状態保持部。
【図１】
0004604877.tif 000002
【図２】
0004604877.tif 000003
【図３】
0004604877.tif 000004
【図４】
0004604877.tif 000005
【図５】
0004604877.tif 000006
【図６】
0004604877.tif 000007
【図７】
0004604877.tif 000008
【図８】
0004604877.tif 000009
【図９】
0004604877.tif 000010
【図１０】
0004604877.tif 000011
【図１１】
0004604877.tif 000012
【図１２】
0004604877.tif 000013
【図１３】
0004604877.tif 000014
【図１４】
0004604877.tif 000015